(57)【要約】【課題】電話帳データ及び発信履歴、着信履歴を一元管理可能なワイヤレスＬＡＮ電話端末装置を提供する。【解決手段】ワイヤレスＬＡＮ電話端末装置２は無線基地局１との接続が完了すると、呼接続制御サーバ３のデータベース４へ電話番号とＩＰアドレスとの対応付けの要求を行う。呼接続制御サーバ３はデータベース４にワイヤレスＬＡＮ電話端末装置２の電話番号とＩＰアドレスとを登録するとともに、予め設定されていたＩＰ電話機５またはパソコン６の履歴情報、電話帳データを時間情報とともにワイヤレスＬＡＮ電話端末装置２へと伝送する。以後、ワイヤレスＬＡＮ電話端末装置２はインタネットまたはイントラネット回線１００に接続しているかぎり、発信、着信を呼接続制御サーバ３を介して行うため、呼の生起毎にデータベース４へと登録される。【選択図】　　　図１【特許請求の範囲】
【請求項１】
電話機能を備えた各種機器端末と、前記各種機器端末各々の間で発着信を行う際に呼接続を行うための制御装置とを含む内部情報共有システムであって、
前記各種機器端末各々と前記制御装置との間で呼制御メッセージの送受信を行う手段と、
前記呼制御メッセージの情報を時間情報とともに格納する記憶装置と、
前記各種機器端末各々が前記制御装置への登録を行う際に前記記憶装置に既に登録された情報を前記各種機器端末各々へと伝送する手段とを有することを特徴とする内部情報共有システム。
【請求項２】
前記各種機器端末は、各々ＬＡＮ（Ｌｏｃａｌ　Ａｒｅａ　Ｎｅｔｗｏｒｋ）回線に接続したＩＰ（Ｉｎｔｅｒｎｅｔ　Ｐｒｏｔｏｃｏｌ）電話機及びＩＰ電話ソフトウェアを持つ情報処理装置の少なくとも一方と、それらとの間でワイヤレスＬＡＮ無線回線にて接続することで音声通話可能となるワイヤレスＬＡＮ電話端末装置とを含み、
前記制御装置は、前記各種機器端末各々が発着信を行う際に呼接続を行うための呼接続制御サーバであることを特徴とする請求項１記載の内部情報共有システム。
【請求項３】
前記ワイヤレスＬＡＮ電話端末装置が外部ネットワークへと移動した時に前記外部ネットワークで発着信した履歴情報を前記ワイヤレスＬＡＮ電話端末装置内部の記憶領域へと格納し、当該ワイヤレスＬＡＮ電話端末装置が前記ＩＰ電話機及び前記情報処理装置のうちの一方が属するネットワークに位置登録した際に当該ワイヤレスＬＡＮ電話端末装置内部の記憶領域に格納している情報を前記記憶装置へと伝送することを特徴とする請求項２記載の内部情報共有システム。
【請求項４】
前記ワイヤレスＬＡＮ電話端末装置が前記ＩＰ電話機及び前記情報処理装置のうちの一方が属するネットワークに位置登録中、当該ワイヤレスＬＡＮ電話端末装置が前記ＩＰ電話機及び前記情報処理装置のうちの一方との間で呼制御及びライン情報を少なくとも共有することを特徴とする請求項２または請求項３記載の内部情報共有システム。
【請求項５】
前記ワイヤレスＬＡＮ電話端末装置が前記ＩＰ電話機及び前記情報処理装置のうちの一方が属するネットワークに位置登録中、前記呼接続制御サーバから当該ワイヤレスＬＡＮ電話端末装置に前記呼制御及びライン情報を伝送することを特徴とする請求項４記載の内部情報共有システム。
【請求項６】
前記記憶装置は、前記呼接続制御サーバに接続される外部記憶装置であることを特徴とする請求項２から請求項５のいずれか記載の内部情報共有システム。
【請求項７】
前記ＩＰ電話機及びＩＰ電話ソフトウェアを持つ情報処理装置の少なくとも一方と前記ワイヤレスＬＡＮ電話端末装置とは、各々自装置内部の記憶領域に格納している情報をピアツーピア（Ｐｅｅｒ　ｔｏ　Ｐｅｅｒ）にて相互に授受することを特徴とする請求項２から請求項５のいずれか記載の内部情報共有システム。
【請求項８】
前記制御装置は、前記各種機器端末各々が発着信を行う際に呼接続を行うための構内交換機であり、
前記各種機器端末は、前記構内交換機に接続されるディジタル多機能電話機と、前記構内交換機に接続される基地局に無線回線にて接続される無線端末とを含むことを特徴とする請求項１記載の内部情報共有システム。
【請求項９】
各々ＬＡＮ（Ｌｏｃａｌ　Ａｒｅａ　Ｎｅｔｗｏｒｋ）回線に接続したＩＰ（Ｉｎｔｅｒｎｅｔ　Ｐｒｏｔｏｃｏｌ）電話機及びＩＰ電話ソフトウェアを持つ情報処理装置の少なくとも一方と、それらとの間でワイヤレスＬＡＮ無線回線にて接続することで音声通話可能となるワイヤレスＬＡＮ電話端末装置とが発着信を行う際に呼接続を行う呼接続制御サーバであって、
前記ワイヤレスＬＡＮ電話端末装置との間で呼制御メッセージの送受信を行う手段と、
前記呼制御メッセージの情報を時間情報とともに格納する記憶装置と、
前記ワイヤレスＬＡＮ電話端末装置が前記ワイヤレスＬＡＮ無線回線を介して位置登録を行う際に前記記憶装置に既に登録された情報を前記ワイヤレスＬＡＮ電話端末装置へと伝送する手段とを有することを特徴とする呼接続制御サーバ。
【請求項１０】
前記ワイヤレスＬＡＮ電話端末装置が外部ネットワークへと移動した時に前記外部ネットワークで発着信した履歴情報を前記ワイヤレスＬＡＮ電話端末装置内部の記憶領域へと格納し、当該ワイヤレスＬＡＮ電話端末装置が前記ＩＰ電話機及び前記情報処理装置のうちの一方が属するネットワークに位置登録した際に当該ワイヤレスＬＡＮ電話端末装置内部の記憶領域に格納している情報を前記記憶装置へと伝送することを特徴とする請求項９記載の呼接続制御サーバ。
【請求項１１】
前記ワイヤレスＬＡＮ電話端末装置が前記ＩＰ電話機及び前記情報処理装置のうちの一方が属するネットワークに位置登録中、当該ワイヤレスＬＡＮ電話端末装置が前記ＩＰ電話機及び前記情報処理装置のうちの一方との間で呼制御及びライン情報を少なくとも共有することを特徴とする請求項９または請求項１０記載の呼接続制御サーバ。
【請求項１２】
前記ワイヤレスＬＡＮ電話端末装置が前記ＩＰ電話機及び前記情報処理装置のうちの一方が属するネットワークに位置登録中、前記呼接続制御サーバから当該ワイヤレスＬＡＮ電話端末装置に前記呼制御及びライン情報を伝送することを特徴とする請求項１１記載の呼接続制御サーバ。
【請求項１３】
前記呼接続制御サーバに自装置に接続される外部記憶装置を前記記憶装置として用いることを特徴とする請求項９から請求項１２のいずれか記載の呼接続制御サーバ。
【請求項１４】
各々ＬＡＮ（Ｌｏｃａｌ　Ａｒｅａ　Ｎｅｔｗｏｒｋ）回線に接続したＩＰ（Ｉｎｔｅｒｎｅｔ　Ｐｒｏｔｏｃｏｌ）電話機及びＩＰ電話ソフトウェアを持つ情報処理装置の少なくとも一方にワイヤレスＬＡＮ無線回線にて接続することで音声通話可能となるワイヤレスＬＡＮ電話端末装置であって、
前記ＩＰ電話機及び前記情報処理装置の少なくとも一方との発着信を行う際に呼接続を行うための呼接続制御サーバとの間で呼制御メッセージの送受信を行う手段と、
前記ワイヤレスＬＡＮ無線回線を介して位置登録を行う際に前記呼制御メッセージの情報を時間情報とともに格納する記憶装置に既に登録された情報が伝送されてきた時にその情報を内部記憶領域に格納する手段とを有することを特徴とするワイヤレスＬＡＮ電話端末装置。
【請求項１５】
自装置が外部ネットワークへと移動した時に前記外部ネットワークで発着信した履歴情報を前記内部記憶領域へと格納する手段と、前記ＩＰ電話機及び前記情報処理装置のうちの一方が属するネットワークに位置登録した際に前記内部記憶領域に格納している情報を前記記憶装置へと伝送する手段とを含むことを特徴とする請求項１４記載のワイヤレスＬＡＮ電話端末装置。
【請求項１６】
前記ＩＰ電話機及び前記情報処理装置のうちの一方が属するネットワークに位置登録中、前記ＩＰ電話機及び前記情報処理装置のうちの一方との間で呼制御及びライン情報を少なくとも共有することを特徴とする請求項１４または請求項１５記載のワイヤレスＬＡＮ電話端末装置。
【請求項１７】
前記ＩＰ電話機及び前記情報処理装置のうちの一方が属するネットワークに位置登録中、前記呼接続制御サーバからの前記呼制御及びライン情報を前記内部記憶領域に登録することを特徴とする請求項１６記載のワイヤレスＬＡＮ電話端末装置。
【請求項１８】
前記記憶装置が、前記呼接続制御サーバに接続される外部記憶装置であることを特徴とする請求項１４から請求項１７のいずれか記載のワイヤレスＬＡＮ電話端末装置。
【請求項１９】
前記ＩＰ電話機及びＩＰ電話ソフトウェアを持つ情報処理装置の少なくとも一方との間において、各々自装置内部の記憶領域に格納している情報をピアツーピア（Ｐｅｅｒ　ｔｏ　Ｐｅｅｒ）にて相互に授受することを特徴とする請求項１４から請求項１８のいずれか記載のワイヤレスＬＡＮ電話端末装置。
【請求項２０】
電話機能を備えた各種機器端末と、前記各種機器端末各々の間で発着信を行う際に呼接続を行うための制御装置とを含むシステムの内部情報共有方法であって、
前記各種機器端末各々と前記制御装置との間で呼制御メッセージの送受信を行うステップと、
前記各種機器端末各々が前記制御装置への登録を行う際に前記呼制御メッセージの情報を時間情報とともに格納する記憶装置に既に登録された情報を前記各種機器端末各々へと伝送するステップとを有することを特徴とする内部情報共有方法。
【請求項２１】
前記各種機器端末は、各々ＬＡＮ（Ｌｏｃａｌ　ＡｒｅａＮｅｔｗｏｒｋ）回線に接続したＩＰ（Ｉｎｔｅｒｎｅｔ　Ｐｒｏｔｏｃｏｌ）電話機及びＩＰ電話ソフトウェアを持つ情報処理装置の少なくとも一方と、それらとの間でワイヤレスＬＡＮ無線回線にて接続することで音声通話可能となるワイヤレスＬＡＮ電話端末装置とを含み、
前記制御装置は、前記各種機器端末各々が発着信を行う際に呼接続を行うための呼接続制御サーバであることを特徴とする請求項２０記載の内部情報共有方法。
【請求項２２】
前記ワイヤレスＬＡＮ電話端末装置が外部ネットワークへと移動した時に前記外部ネットワークで発着信した履歴情報を前記ワイヤレスＬＡＮ電話端末装置内部の記憶領域へと格納し、当該ワイヤレスＬＡＮ電話端末装置が前記ＩＰ電話機及び前記情報処理装置のうちの一方が属するネットワークに位置登録した際に当該ワイヤレスＬＡＮ電話端末装置内部の記憶領域に格納している情報を前記記憶装置へと伝送することを特徴とする請求項２１記載の内部情報共有方法。
【請求項２３】
前記ワイヤレスＬＡＮ電話端末装置が前記ＩＰ電話機及び前記情報処理装置のうちの一方が属するネットワークに位置登録中、当該ワイヤレスＬＡＮ電話端末装置が前記ＩＰ電話機及び前記情報処理装置のうちの一方との間で呼制御及びライン情報を少なくとも共有することを特徴とする請求項２１または請求項２２記載の内部情報共有方法。
【請求項２４】
前記ワイヤレスＬＡＮ電話端末装置が前記ＩＰ電話機及び前記情報処理装置のうちの一方が属するネットワークに位置登録中、前記呼接続制御サーバから当該ワイヤレスＬＡＮ電話端末装置に前記呼制御及びライン情報を伝送することを特徴とする請求項２３記載の内部情報共有方法。
【請求項２５】
前記記憶装置は、前記呼接続制御サーバに接続される外部記憶装置であることを特徴とする請求項２１から請求項２４のいずれか記載の内部情報共有方法。
【請求項２６】
前記制御装置は、前記各種機器端末各々が発着信を行う際に呼接続を行うための構内交換機であり、
前記各種機器端末は、前記構内交換機に接続されるディジタル多機能電話機と、前記構内交換機に接続される基地局に無線回線にて接続される無線端末とを含むことを特徴とする請求項２０記載の内部情報共有方法。
【請求項２７】
電話機能を備えた各種機器端末と、前記各種機器端末各々の間で発着信を行う際に呼接続を行うための制御装置とを含むシステムの内部情報共有方法のプログラムであって、コンピュータに、前記各種機器端末各々と前記制御装置との間で呼制御メッセージの送受信を行う処理と、前記各種機器端末各々が前記制御装置への登録を行う際に前記呼制御メッセージの情報を時間情報とともに格納する記憶装置に既に登録された情報を前記各種機器端末各々へと伝送する処理とを実行させることを特徴とするプログラム。
【発明の詳細な説明】
【０００１】
【発明の属する技術分野】
本発明は内部情報共有システム、呼接続制御サーバ、ワイヤレスＬＡＮ電話端末装置及びそれらの内部情報共有方法並びにそのプログラムに関し、特にインタネットまたはイントラネットに接続して音声を利用するワイヤレス電話端末装置に関する。
【０００２】
【従来の技術】
従来、ＬＡＮ（Ｌｏｃａｌ　Ａｒｅａ　Ｎｅｔｗｏｒｋ）回線に接続したＩＰ（Ｉｎｔｅｒｎｅｔ　Ｐｒｏｔｏｃｏｌ）電話機及びパーソナルコンピュータ（以下、パソコンとする）にて音声通話をＬＡＮ回線で利用するＩＰ電話ソフトウェアにおいては、電話帳及び発信履歴、着信履歴がＩＰ電話機の記憶領域及びＩＰ電話ソフトウェアを具備したパソコン内部の記憶装置に記憶されて利用されている。
【０００３】
また、従来の無線回線を利用する携帯電話端末においては、電話帳及び発信履歴、着信履歴各々の情報が、携帯電話端末内部の記憶装置に格納されて利用されている。
【０００４】
これら従来のＬＡＮ回線を利用したＩＰ電話機またはＩＰ電話ソフトウェアを具備したパソコンと、無線回線を利用した携帯電話装置とでは発着信時に扱う電話番号情報が各々の記憶装置へ格納され、格納された機器のみで利用されている。
【０００５】
また、オフィスにおいては自席に在席中、机上のＩＰ電話機やＩＰ電話ソフトウェアを具備したパソコンを利用しているが、通話中に離席する際に、携帯電話端末へ当該呼を転送する等の方法で利用されている。
【０００６】
【発明が解決しようとする課題】
上述した従来のＩＰ電話機またはＩＰ電話ソフトウェアを具備したパソコンと携帯電話端末との間では、電話帳、発信履歴、着信履歴情報の管理がそれぞれの機器内に限定されている。
【０００７】
例えば、ＩＰ電話機で着信を受けた相手先に携帯電話端末でコールバックする際には、一度、ＩＰ電話機の着信履歴を閲覧し、携帯電話端末でダイヤルする等の煩雑な操作が必要であるという問題がある。
【０００８】
また、従来の技術では、既に登録している電話帳情報も、更新する際にＩＰ電話機またはＩＰ電話ソフトウェアを具備したパソコンと、携帯電話端末とにおいて、それぞれの情報の更新が必要であるという問題がある。
【０００９】
さらに、従来の技術では、通話中に離席する場合、上述したように、呼を携帯電話端末へ転送するために、発信者番号が転送元のＩＰ電話機またはパソコンを利用したＩＰ電話ソフトウェアの電話番号となり、後に携帯電話端末からコールバックする際に発信先電話番号に不整合が生じるという問題がある。
【００１０】
そこで、本発明の目的は上記の問題点を解消し、電話帳データ及び発信履歴、着信履歴を一元管理することができる内部情報共有システム、呼接続制御サーバ、ワイヤレスＬＡＮ電話端末装置及びそれらの内部情報共有方法並びにそのプログラムを提供することにある。
【００１１】
【課題を解決するための手段】
本発明による内部情報共有システムは、電話機能を備えた各種機器端末と、前記各種機器端末各々の間で発着信を行う際に呼接続を行うための制御装置とを含む内部情報共有システムであって、
前記各種機器端末各々と前記制御装置との間で呼制御メッセージの送受信を行う手段と、
前記呼制御メッセージの情報を時間情報とともに格納する記憶装置と、
前記各種機器端末各々が前記制御装置への登録を行う際に前記記憶装置に既に登録された情報を前記各種機器端末各々へと伝送する手段とを備えている。
【００１２】
本発明による呼接続制御サーバは、各々ＬＡＮ（Ｌｏｃａｌ　Ａｒｅａ　Ｎｅｔｗｏｒｋ）回線に接続したＩＰ（Ｉｎｔｅｒｎｅｔ　Ｐｒｏｔｏｃｏｌ）電話機及びＩＰ電話ソフトウェアを持つ情報処理装置の少なくとも一方と、それらとの間でワイヤレスＬＡＮ無線回線にて接続することで音声通話可能となるワイヤレスＬＡＮ電話端末装置とが発着信を行う際に呼接続を行う呼接続制御サーバであって、
前記ワイヤレスＬＡＮ電話端末装置との間で呼制御メッセージの送受信を行う手段と、
前記呼制御メッセージの情報を時間情報とともに格納する記憶装置と、
前記ワイヤレスＬＡＮ電話端末装置が前記ワイヤレスＬＡＮ無線回線を介して位置登録を行う際に前記記憶装置に既に登録された情報を前記ワイヤレスＬＡＮ電話端末装置へと伝送する手段とを備えている。
【００１３】
本発明によるワイヤレスＬＡＮ電話端末装置は、各々ＬＡＮ（Ｌｏｃａｌ　Ａｒｅａ　Ｎｅｔｗｏｒｋ）回線に接続したＩＰ（Ｉｎｔｅｒｎｅｔ　Ｐｒｏｔｏｃｏｌ）電話機及びＩＰ電話ソフトウェアを持つ情報処理装置の少なくとも一方にワイヤレスＬＡＮ無線回線にて接続することで音声通話可能となるワイヤレスＬＡＮ電話端末装置であって、
前記ＩＰ電話機及び前記情報処理装置の少なくとも一方との発着信を行う際に呼接続を行うための呼接続制御サーバとの間で呼制御メッセージの送受信を行う手段と、
前記ワイヤレスＬＡＮ無線回線を介して位置登録を行う際に前記呼制御メッセージの情報を時間情報とともに格納する記憶装置に既に登録された情報が伝送されてきた時にその情報を内部記憶領域に格納する手段とを備えている。
【００１４】
本発明による内部情報共有方法は、電話機能を備えた各種機器端末と、前記各種機器端末各々の間で発着信を行う際に呼接続を行うための制御装置とを含むシステムの内部情報共有方法であって、
前記各種機器端末各々と前記制御装置との間で呼制御メッセージの送受信を行うステップと、
前記各種機器端末各々が前記制御装置への登録を行う際に前記呼制御メッセージの情報を時間情報とともに格納する記憶装置に既に登録された情報を前記各種機器端末各々へと伝送するステップとを備えている。
【００１５】
本発明による内部情報共有方法のプログラムは、電話機能を備えた各種機器端末と、前記各種機器端末各々の間で発着信を行う際に呼接続を行うための制御装置とを含むシステムの内部情報共有方法のプログラムであって、コンピュータに、前記各種機器端末各々と前記制御装置との間で呼制御メッセージの送受信を行う処理と、前記各種機器端末各々が前記制御装置への登録を行う際に前記呼制御メッセージの情報を時間情報とともに格納する記憶装置に既に登録された情報を前記各種機器端末各々へと伝送する処理とを実行させている。
【００１６】
すなわち、本発明のワイヤレスＬＡＮ電話端末装置は、ＬＡＮ（Ｌｏｃａｌ　Ａｒｅａ　Ｎｅｔｗｏｒｋ）回線に接続したＩＰ（Ｉｎｔｅｒｎｅｔ　Ｐｒｏｔｏｃｏｌ）電話機またはＩＰ電話ソフトウェアを具備したパーソナルコンピュータ（以下、パソコンとする）にワイヤレスＬＡＮ無線回線にて接続し、音声通話可能となっている。
【００１７】
本発明は、このワイヤレスＬＡＮ電話端末装置において、電話帳及び発信履歴、着信履歴を共有するための仕組みを備えている。これによって、本発明では、電話帳発信履歴、着信履歴情報の同期が可能となり、上述した従来の煩雑な操作が解消される。
【００１８】
また、本発明では、上記のワイヤレスＬＡＮ電話端末装置において、呼制御やライン情報を共有する仕組みを備えている。これによって、本発明では、上記のコールバックを行う際に発信先番号に不整合が生じることがなくなる。
【００１９】
より具体的に説明すると、本発明では、ＩＰ電話機またはＩＰ電話ソフトウェアを具備したパソコンとワイヤレスＬＡＮ電話端末装置とが発着信を行う際に、呼接続を行うための呼接続制御サーバとの間で、それぞれの動作に応じた呼制御メッセージの送受信を行う。
【００２０】
従来、着信履歴や発信履歴は各端末の記憶領域へと格納されるが、本発明においては、これらの情報を時間情報とともに、呼接続制御サーバの外部記憶装置へと格納する。
【００２１】
ワイヤレスＬＡＮ電話端末装置がワイヤレスＬＡＮ回線を介してネットワークに接続され、呼接続制御サーバに位置登録を行う際に、既に登録された上記の情報を時間情報とともにワイヤレスＬＡＮ回線を介して、ワイヤレスＬＡＮ電話端末装置へと伝送することによって、ＩＰ電話機またはＩＰ電話ソフトウェアを具備したパソコンとワイヤレスＬＡＮ電話端末装置との間で上記の情報の一元管理が可能となる。
【００２２】
また、ワイヤレスＬＡＮ電話端末装置は、外部のネットワークへと移動することもあり得るため、外部ネットワークで発着信した履歴情報をワイヤレスＬＡＮ電話端末装置内部の記憶領域へと格納し、ＩＰ電話機またはＩＰ電話ソフトウェアを具備したパソコンと同一のネットワーク（ホームネットワーク）に位置登録した際に、格納していた上記の情報を呼接続制御サーバの外部記憶装置へと伝送することによって、上記の情報を一元管理することが可能となる。
【００２３】
さらに、本発明では、ホームネットワークに位置登録中、ＩＰ電話機またはＩＰ電話ソフトウェアを具備したパソコンとの間で呼制御やライン情報を共有することによって、呼の一元管理が可能となり、煩わしい操作を行わずに容易に呼の受け渡しを行うことが可能となる。
【００２４】
上述したように、本発明のワイヤレスＬＡＮ電話端末装置では、机上のＩＰ電話機またはＩＰ電話ソフトウェアを具備するパソコンとの間で電話帳データや発信履歴、及び着信履歴を一元管理することが可能となる。
【００２５】
また、本発明のワイヤレスＬＡＮ電話端末装置では、机上のＩＰ電話機またはＩＰ電話ソフトウェアを具備するパソコンとの間で呼制御情報及びライン情報を同期することによって、通話中に離席する場合でも煩わしい転送操作が必要なくなり、ワイヤレスならではの機動性を高めることが可能となる。
【００２６】
さらに、本発明では、机上のＩＰ電話機またはＩＰ電話ソフトウェアを具備するパソコンとのワイヤレスＬＡＮ電話端末装置との間で、電話帳データや発信履歴、及び着信履歴をピアツーピア（Ｐｅｅｒ　ｔｏ　Ｐｅｅｒ）にて相互に送受信（授受）することで、電話帳データや発信履歴、及び着信履歴を一元管理することが可能となる。
【００２７】
さらにまた、本発明では、ディジタル多機能電話機とＰＨＳ（Ｐｅｒｓｏｎａｌ　Ｈａｎｄｙ−ｐｈｏｎｅ　Ｓｙｓｔｅｍ）端末とが発着信を行う際に、呼接続を行うための構内交換機との間で、それぞれの動作に応じた呼制御メッセージの送受信を行うので、これらの情報を時間情報とともに、構内交換機の外部記憶装置へと格納する。
【００２８】
ＰＨＳ端末が構内交換機に位置登録を行う際に、既に登録された上記の情報を時間情報とともにＰＨＳ端末へと伝送することによって、ディジタル多機能電話機とＰＨＳ端末との間で上記の情報の一元管理が可能となる。
【００２９】
【発明の実施の形態】
次に、本発明の実施例について図面を参照して説明する。図１は本発明の一実施例によるネットワークの構成を示すブロック図である。図１において、本発明の一実施例によるネットワークは無線基地局１と、ワイヤレスＬＡＮ（Ｌｏｃａｌ　Ａｒｅａ　Ｎｅｔｗｏｒｋ）電話端末装置２と、呼接続制御サーバ３と、データベース４と、ＩＰ（Ｉｎｔｅｒｎｅｔ　Ｐｒｏｔｏｃｏｌ）電話機５と、ＩＰ電話ソフトウェアを具備するパーソナルコンピュータ（以下、パソコンとする）６と、公衆網（図示せず）に接続するためのゲートウェイ７とから構成されている。
【００３０】
無線基地局１、呼接続制御サーバ３、ＩＰ電話機５、パソコン６、ゲートウェイ７はそれぞれインタネットまたはイントラネット回線１００に接続されている。無線基地局１はワイヤレスＬＡＮ電話端末装置２をインタネットまたはイントラネット回線１００に接続する。
【００３１】
ワイヤレスＬＡＮ電話端末装置２は無線受信回路で周囲の電波をサーチし、無線基地局１を認識すると、ネットワークへの接続要求を開始する。ワイヤレスＬＡＮ電話端末装置２は無線基地局１との接続が完了すると、呼接続制御サーバ３のデータベース４へ電話番号とＩＰ（Ｉｎｔｅｒｎｅｔ　Ｐｒｏｔｏｃｏｌ）アドレスとの対応付けの要求を行う。
【００３２】
呼接続制御サーバ３はデータベース４にワイヤレスＬＡＮ電話端末装置２の電話番号とＩＰアドレスとを登録するとともに、予め設定されていたＩＰ電話機５またはパソコン６の履歴情報、電話帳データを時間情報とともにワイヤレスＬＡＮ電話端末装置２へと伝送する。
【００３３】
以後、ワイヤレスＬＡＮ電話端末装置２はインタネットまたはイントラネット回線１００に接続しているかぎり、発信、着信を呼接続制御サーバ３を介して行うため、呼の生起毎にデータベース４へと登録され、ＩＰ電話機５またはパソコン６との間で、履歴情報や電話帳データを少なくとも含む履歴データの一元管理が可能となる。
【００３４】
図２は図１のワイヤレスＬＡＮ電話端末装置２の構成を示すブロック図である。図２において、ワイヤレスＬＡＮ電話端末装置２はアンテナ部２０と、無線部２１と、ＣＰＵ（中央処理装置）２２と、記憶部のプログラム領域２３と、記憶部のユーザデータキャッシュ領域２４と、マイク２５と、スピーカ２６と、表示部２７と、操作部２８と、電源部２９と、電池３０とから構成されている。
【００３５】
記憶部のプログラム領域２３にはその内部に、動作プログラム２３ａ、呼制御プログラム２３ｂ、データ管理機能２３ｃ、データ同期機能２３ｄ、時計機能２３ｅの各領域が設けられている。また、記憶部のユーザデータキャッシュ領域２４にはその内部に、端末固有情報２４ａ、電話帳データ２４ｂ、呼情報・ライン情報２４ｃ、発着信履歴２４ｄ、時間情報２４ｅの各領域が設けられている。
【００３６】
図３は図１の呼接続制御サーバ３及びデータベース４の構成を示すブロック図である。図３において、呼接続制御サーバ３はＣＰＵ３１と、記憶装置インタフェース（Ｉ／Ｆ）部３２と、記憶部のプログラム領域３３と、ネットワークインタフェース（Ｉ／Ｆ）部３４とから構成されている。
【００３７】
記憶部のプログラム領域３３にはその内部に、動作プログラム３３ａ、呼制御プログラム３３ｂ、データ管理機能３３ｃ、データ同期機能３３ｄ、時計機能３３ｅの各領域が設けられている。
【００３８】
データベース４にはその内部に、端末固有情報４ａ、電話帳データ４ｂ、呼情報・ライン情報４ｃ、発着信履歴４ｄ、時間情報４ｅの各領域が設けられている。
【００３９】
図４〜図６は図１のワイヤレスＬＡＮ電話端末装置２の動作を示すフローチャートである。これら図１と図２と図４〜図６とを参照してワイヤレスＬＡＮ電話端末装置２の動作について説明する。尚、図４〜図６に示す処理はワイヤレスＬＡＮ電話端末装置２内のコンピュータ（図示せず）が記憶部のプログラム領域２３のプログラムを実行することで実現される。
【００４０】
ワイヤレスＬＡＮ電話端末装置２は電源ＯＮ、圏内復旧すると（図４ステップＳ１）、無線基地局１の検索を行い、無線同期の確立を行う（図４ステップＳ２）。その後に、ワイヤレスＬＡＮ電話端末装置２は無線基地局１との間で接続認証を行い（図４ステップＳ３）、無線基地局１に接続する（図４ステップＳ４）。
【００４１】
ワイヤレスＬＡＮ電話端末装置２は無線基地局１に接続すると、アドレス設定済みであれば（図４ステップＳ５）、ステップＳ７に遷移する。また、ワイヤレスＬＡＮ電話端末装置２はアドレス設定済みでなければ（図４ステップＳ５）、ＩＰアドレスを取得して内部に設定する（図４ステップＳ６）。
【００４２】
ワイヤレスＬＡＮ電話端末装置２は呼接続制御サーバ３に接続し（図４ステップＳ７）、アドレス／番号を登録（レジストリ）した後（図４ステップＳ８）、同期データの照合を行う（図４ステップＳ９）。その結果、ワイヤレスＬＡＮ電話端末装置２は更新がなければ（図４ステップＳ１０）、ステップＳ１４に遷移する。
【００４３】
ワイヤレスＬＡＮ電話端末装置２は更新があれば（図４ステップＳ１０）、呼接続制御サーバ３側の時間情報が新しいかをチェックする（図４ステップＳ１１）。その結果、ワイヤレスＬＡＮ電話端末装置２は呼接続制御サーバ３側の時間情報が新しければ、呼接続制御サーバ３から同期データを取得し、記憶部のユーザデータキャッシュ領域２４に格納する（図４ステップＳ１２）。また、ワイヤレスＬＡＮ電話端末装置２は呼接続制御サーバ３側の時間情報が新しくなければ、呼接続制御サーバ３に同期データを送信する（図４ステップＳ１３）。
【００４４】
ワイヤレスＬＡＮ電話端末装置２は上記の処理の後、着信や発信の待ち受け（間欠受信）状態に移行し（図５ステップＳ１４）、着信があると（図５ステップＳ１５）、着信メッセージを受信し（図５ステップＳ１６）、同期データの照合を行う（図５ステップＳ１７）。
【００４５】
ワイヤレスＬＡＮ電話端末装置２は更新があれば（図５ステップＳ１８）、呼接続制御サーバ３側の時間情報が新しいかをチェックする（図５ステップＳ１９）。その結果、ワイヤレスＬＡＮ電話端末装置２は呼接続制御サーバ３側の時間情報が新しければ、呼接続制御サーバ３から同期データを取得し、記憶部のユーザデータキャッシュ領域２４に格納する（図５ステップＳ２０）。また、ワイヤレスＬＡＮ電話端末装置２は呼接続制御サーバ３側の時間情報が新しくなければ、呼接続制御サーバ３に同期データを送信する（図５ステップＳ２１）。
【００４６】
その後、ワイヤレスＬＡＮ電話端末装置２は着信応答メッセージと呼情報（ライン情報）とを呼接続制御サーバ３に送信する（図５ステップＳ２２）。これによって、ワイヤレスＬＡＮ電話端末装置２は相手先との通話が可能となり、相手先と通話中となる（図５ステップＳ２３）。
【００４７】
ワイヤレスＬＡＮ電話端末装置２は相手先との通話が終了すると、終話メッセージと呼情報（ライン情報）とを呼接続制御サーバ３に送信し（図５ステップＳ２４）、更新された着信履歴や電話帳への相手先の登録の情報を同期データとして呼接続制御サーバ３に送信する（図５ステップＳ２５）。この後に、ワイヤレスＬＡＮ電話端末装置２はステップＳ１４に戻って待ち受け状態となる。
【００４８】
一方、ワイヤレスＬＡＮ電話端末装置２は発信を行う場合（図６ステップＳ２６）、発信メッセージと呼情報（ライン情報）とを呼接続制御サーバ３に送信し（図６ステップＳ２７）、同期データの照合を行う（図６ステップＳ２８）。
【００４９】
ワイヤレスＬＡＮ電話端末装置２は更新があれば（図６ステップＳ２９）、呼接続制御サーバ３側の時間情報が新しいかをチェックする（図６ステップＳ３０）。その結果、ワイヤレスＬＡＮ電話端末装置２は呼接続制御サーバ３側の時間情報が新しければ、呼接続制御サーバ３から同期データを取得し、記憶部のユーザデータキャッシュ領域２４に格納する（図６ステップＳ３１）。また、ワイヤレスＬＡＮ電話端末装置２は呼接続制御サーバ３側の時間情報が新しくなければ、呼接続制御サーバ３に同期データを送信する（図６ステップＳ３２）。
【００５０】
その後、ワイヤレスＬＡＮ電話端末装置２は相手応答メッセージを呼接続制御サーバ３に送信する（図６ステップＳ３３）。これによって、ワイヤレスＬＡＮ電話端末装置２は相手先との通話が可能となり、相手先と通話中となる（図６ステップＳ３４）。
【００５１】
ワイヤレスＬＡＮ電話端末装置２は相手先との通話が終了すると、終話メッセージと呼情報（ライン情報）とを呼接続制御サーバ３に送信し（図６ステップＳ３５）、更新された発信履歴の情報を同期データとして呼接続制御サーバ３に送信する（図６ステップＳ３６）。この後に、ワイヤレスＬＡＮ電話端末装置２はステップＳ１４に戻って待ち受け状態となる。
【００５２】
また、ワイヤレスＬＡＮ電話端末装置２は着信や発信の処理ではなく、電源ＯＦＦや圏外になると（図６ステップＳ３７）、処理を終了する。ワイヤレスＬＡＮ電話端末装置２は電源ＯＦＦや圏外でなければ（図６ステップＳ３７）、ステップＳ１４に戻って待ち受け状態となる。尚、上記の処理動作はＩＰ電話機５やパソコン６にも適用可能である。
【００５３】
図７〜図９は図１の呼接続制御サーバ３の動作を示すフローチャートである。これら図１と図３と図７〜図９とを参照して呼接続制御サーバ３の動作について説明する。尚、図７〜図９に示す処理は呼接続制御サーバ３内のコンピュータ（図示せず）が記憶部のプログラム領域３３のプログラムを実行することで実現される。
【００５４】
呼接続制御サーバ３はワイヤレスＬＡＮ電話端末装置２から登録要求を受付けると（図７ステップＳ４１）、番号／アドレステーブル（図示せず）にワイヤレスＬＡＮ電話端末装置２からの番号／アドレスを登録する（図７ステップＳ４２）。
【００５５】
その後に、呼接続制御サーバ３は同期端末番号（ワイヤレスＬＡＮ電話端末装置２の番号）を照合し（図７ステップＳ４３）、同期端末がなければ（図７ステップＳ４４）、ステップＳ５０に遷移する。また、呼接続制御サーバ３は同期端末があれば　（図７ステップＳ４４）、データベース４を参照し（図７ステップＳ４５）、時間情報の比較を行う（図７ステップＳ４６）。
【００５６】
呼接続制御サーバ３は上記の比較によって、端末側の時間情報が新しいと判断すると（図７ステップＳ４７）、ワイヤレスＬＡＮ電話端末装置２から同期データを取得し、その同期データをデータベース４に格納する（図７ステップＳ４８）。また、呼接続制御サーバ３は上記の比較によって、端末側の時間情報が新しくないと判断すると（図７ステップＳ４７）、データベース４の同期データをワイヤレスＬＡＮ電話端末装置２に送信する（図７ステップＳ４９）。
【００５７】
その後に、呼接続制御サーバ３はワイヤレスＬＡＮ電話端末装置２のアドレス／番号を登録（レジストリ）し（図７ステップＳ５０）、ワイヤレスＬＡＮ電話端末装置２に登録受付完了を通知し（図７ステップＳ５１）、次の登録を待つ。
【００５８】
呼接続制御サーバ３はワイヤレスＬＡＮ電話端末装置２から発信要求を受付けると（図８ステップＳ６１）、番号／アドレステーブルにワイヤレスＬＡＮ電話端末装置２からの番号／アドレスを登録する（図８ステップＳ６２）。
【００５９】
その後に、呼接続制御サーバ３は同期端末番号（ワイヤレスＬＡＮ電話端末装置２の番号）を照合し（図８ステップＳ６３）、同期端末がなければ（図８ステップＳ６４）、ステップＳ７０に遷移する。また、呼接続制御サーバ３は同期端末があれば　（図８ステップＳ６４）、データベース４を参照し（図８ステップＳ６５）、時間情報の比較を行う（図８ステップＳ６６）。
【００６０】
呼接続制御サーバ３は上記の比較によって、端末側の時間情報が新しいと判断すると（図８ステップＳ６７）、ワイヤレスＬＡＮ電話端末装置２から同期データを取得し、その同期データをデータベース４に格納する（図８ステップＳ６８）。また、呼接続制御サーバ３は上記の比較によって、端末側の時間情報が新しくないと判断すると（図８ステップＳ６７）、データベース４の同期データをワイヤレスＬＡＮ電話端末装置２に送信する（図８ステップＳ６９）。
【００６１】
その後に、呼接続制御サーバ３は相手先端末の解決を行って、呼び出しメッセージを送出し（図８ステップＳ７０）、ワイヤレスＬＡＮ電話端末装置２に登録受付完了を通知し（図８ステップＳ７１）、次の登録を待つ。
【００６２】
呼接続制御サーバ３はワイヤレスＬＡＮ電話端末装置２から発信要求を受付けると（図９ステップＳ８１）、ワイヤレスＬＡＮ電話端末装置２への着信メッセージの送出を開始し（図９ステップＳ８２）、番号／アドレステーブルにワイヤレスＬＡＮ電話端末装置２からの番号／アドレスを登録する（図９ステップＳ８３）。
【００６３】
その後に、呼接続制御サーバ３は同期端末番号（ワイヤレスＬＡＮ電話端末装置２の番号）を照合し（図９ステップＳ８４）、同期端末がなければ（図９ステップＳ８５）、ステップＳ９１に遷移する。また、呼接続制御サーバ３は同期端末があれば（図９ステップＳ８５）、データベース４を参照し（図９ステップＳ８６）、時間情報の比較を行う（図９ステップＳ８７）。
【００６４】
呼接続制御サーバ３は上記の比較によって、端末側の時間情報が新しいと判断すると（図９ステップＳ８８）、ワイヤレスＬＡＮ電話端末装置２から同期データを取得し、その同期データをデータベース４に格納する（図９ステップＳ８９）。また、呼接続制御サーバ３は上記の比較によって、端末側の時間情報が新しくないと判断すると（図９ステップＳ８８）、データベース４の同期データをワイヤレスＬＡＮ電話端末装置２に送信する（図９ステップＳ９０）。
【００６５】
その後に、呼接続制御サーバ３は相手先端末の解決を行って、呼び出しメッセージを送出し（図９ステップＳ９１）、ワイヤレスＬＡＮ電話端末装置２に登録受付完了を通知し（図９ステップＳ９２）、次の登録を待つ。尚、上記の処理動作はワイヤレスＬＡＮ電話端末装置２を対象としているが、ＩＰ電話機５やパソコン６を対象とする場合にも適用可能である。
【００６６】
図１０は本発明の一実施例によるネットワークの動作を示すシーケンスチャートである。図１０ではワイヤレスＬＡＮ電話端末装置２と、無線基地局１と、呼接続制御サーバ３と、ＩＰ電話機５と、パソコン６との間で呼制御情報やライン情報を共有するための動作を示している。
【００６７】
まず、ワイヤレスＬＡＮ電話端末装置２は呼接続制御サーバ３を介して電話の発着信を可能とするために、接続要求を無線基地局１に送り（図１０のａ１）、無線基地局１から接続応答を受取ると（図１０のａ２）、電話番号とＩＰアドレスとの登録要求を呼接続制御サーバ３に送る（図１０のａ３）。
【００６８】
呼接続制御サーバ３はデータベース４にワイヤレスＬＡＮ電話端末装置２の電話番号とＩＰアドレスとを登録し、電話番号とＩＰアドレスとの登録応答をワイヤレスＬＡＮ電話端末装置２に送る（図１０のａ４）。
【００６９】
上記の処理はワイヤレスＬＡＮ電話端末装置２の登録フェーズａであり、ワイヤレスＬＡＮ電話端末装置２が電源ＯＮまたは圏外エリアから圏外エリアへと移動し、無線受信回路にて周囲の電波をサーチし、無線基地局１を認識した際に行われる。
【００７０】
ワイヤレスＬＡＮ電話端末装置２は登録フェーズａで呼接続制御サーバ３へ電話番号及びＩＰアドレスの登録が完了すると、無線基地局１からの報知情報のみを受信する間欠受信状態へと移行する。つまり、無線基地局１は報知情報送出タイミング毎に報知情報（ライン空き）をワイヤレスＬＡＮ電話端末装置２に通知する（図１０のｂ１，ｂ２）。
【００７１】
予めワイヤレスＬＡＮ電話端末装置２に対応付けられたＩＰ電話機５またはパソコン６が発呼要求を行う状態（図１０のｂ３）において、呼接続制御サーバ３は予め対応付けられたワイヤレスＬＡＮ電話端末装置２へＩＰ電話機５またはパソコン６の呼制御情報及びライン情報を伝送する（図１０のｂ４）。
【００７２】
呼制御情報及びライン情報は一度、無線基地局１のバッファに蓄えられ、次の報知情報送出タイミングにてワイヤレスＬＡＮ電話端末装置２へと送出され（図１０のｂ５）、ワイヤレスＬＡＮ電話端末装置２とＩＰ電話機５またはパソコン６との間で呼制御情報、ライン情報が共有される。
【００７３】
上記のＩＰ電話機５またはパソコン６が通話中において、呼接続制御サーバ３は無線基地局１へＩＰ電話機５またはパソコン６の呼制御情報及びライン情報を伝送する（図１０のｂ６）。無線基地局１はその呼制御情報及びライン情報をバッファに蓄え、次の報知情報送出タイミングにてワイヤレスＬＡＮ電話端末装置２へと送出する（図１０のｂ７，ｂ９）。
【００７４】
上記のＩＰ電話機５またはパソコン６が切断要求を行う状態（図１０のｂ８）において、呼接続制御サーバ３はその切断処理が完了すると（図１０のｂ１０）、ワイヤレスＬＡＮ電話端末装置２へＩＰ電話機５またはパソコン６の呼制御情報及びライン情報を伝送する（図１０のｂ１１）。
【００７５】
呼制御情報及びライン情報は一度、無線基地局１のバッファに蓄えられ、次の報知情報送出タイミングにてワイヤレスＬＡＮ電話端末装置２へと送出され（図１０のｂ１２）、ワイヤレスＬＡＮ電話端末装置２とＩＰ電話機５またはパソコン６との間で呼制御情報、ライン情報が共有される。
【００７６】
このように、本実施例では、ワイヤレスＬＡＮ電話端末装置２が机上のＩＰ電話機５またはパソコン６と発信履歴や着信履歴、及び電話帳データを一元管理することができる。
【００７７】
また、本実施例では、ワイヤレスＬＡＮ電話端末装置２が机上のＩＰ電話機５またはパソコン６と呼制御情報及びライン情報を同期することによって、通話中に離席する場合でも、煩わしい転送操作が必要なくなり、ワイヤレスならではの機動性を高めることができる。
【００７８】
尚、上記の例ではワイヤレスＬＡＮ電話端末装置２と机上のＩＰ電話機５またはパソコン６とが呼制御情報及びライン情報を同期しているが、ワイヤレスＬＡＮ電話端末装置２と机上のＩＰ電話機５またはパソコン６とがＰｅｅｒ　ｔｏ　Ｐｅｅｒで同期することも可能である。
【００７９】
この場合、ワイヤレスＬＡＮ電話端末装置２と机上のＩＰ電話機５またはパソコン６とにはそれぞれ、予め情報を共有する端末情報が登録されている。電話帳データはユーザの操作によって同期する方法と、定期的に同期する方法とによって提供される。発着信履歴、呼状態、呼に付随する情報については、上述した呼接続制御サーバ３を介して同期する方法と同様に、呼制御メッセージのやり取りの中にプロトコルを定義し、情報の受け渡しを行う。
【００８０】
図１１は本発明の他の実施例によるネットワークの構成を示すブロック図である。図１１において、本発明の他の実施例によるネットワークはゲートウェイ７に構内交換機８を接続し、ディジタル多機能電話機１０とＰＨＳ（Ｐｅｒｓｏｎａｌ　Ｈａｎｄｙｐｈｏｎｅ　Ｓｙｓｔｅｍ）基地局１１を介して接続されるＰＨＳ端末１２とが呼制御情報及びライン情報を同期するようにした以外は図１に示す本発明の一実施例によるネットワークと同様の構成となっており、同一構成要素には同一符号を付してある。また、同一構成要素の動作は本発明の一実施例と同様である。
【００８１】
本発明の一実施例においては、ワイヤレスＬＡＮ電話端末装置２が電源ＯＮの場合、圏外から圏内に復旧した場合のレジストレーションによって、情報の受け渡しを行っている。これに対し、本発明の他の実施例においては、ＰＨＳ端末１２が電源ＯＮの場合、圏外から圏内への復旧した場合の位置登録によって、情報の受け渡しを行っている。
【００８２】
また、ＰＨＳ端末１２は呼状態、呼に付随する情報について、構内交換機８及びＰＨＳ基地局１１を通してネットワークにつながり、呼状態の変化をトリガとして無鳴動の呼設定メッセージにてシステム（ＰＨＳ基地局１１）から通知する。
【００８３】
尚、ディジタル多機能電話機１０とＰＨＳ端末１２とが呼制御情報及びライン情報を同期する際の動作は、上述した本発明の一実施例の処理動作における呼接続制御サーバ３の処理動作を構内交換機８がデータベース９を用いて行うことで実現される。
【００８４】
【発明の効果】
以上説明したように本発明は、電話機能を備えた各種機器端末と、各種機器端末各々の間で発着信を行う際に呼接続を行うため制御装置とを含む内部情報共有システムにおいて、各種機器端末各々と制御装置との間で呼制御メッセージの送受信を行う際の呼制御メッセージの情報を時間情報とともに記憶装置に格納し、各種機器端末各々が制御装置への登録を行う際に記憶装置に既に登録された情報を各種機器端末各々へと伝送することによって、電話帳データ及び発信履歴、着信履歴を一元管理することができるという効果が得られる。
【図面の簡単な説明】
【図１】本発明の一実施例によるネットワークの構成を示すブロック図である。
【図２】図１のワイヤレスＬＡＮ電話端末装置の構成を示すブロック図である。
【図３】図１の呼接続制御サーバ及びデータベースの構成を示すブロック図である。
【図４】図１のワイヤレスＬＡＮ電話端末装置の動作を示すフローチャートである。
【図５】図１のワイヤレスＬＡＮ電話端末装置の動作を示すフローチャートである。
【図６】図１のワイヤレスＬＡＮ電話端末装置の動作を示すフローチャートである。
【図７】図１の呼接続制御サーバの動作を示すフローチャートである。
【図８】図１の呼接続制御サーバの動作を示すフローチャートである。
【図９】図１の呼接続制御サーバの動作を示すフローチャートである。
【図１０】本発明の一実施例によるネットワークの動作を示すシーケンスチャートである。
【図１１】本発明の他の実施例によるネットワークの構成を示すブロック図である。
【符号の説明】
１　無線基地局
２　ワイヤレスＬＡＮ電話端末装置
３　呼接続制御サーバ
４　データベース
４ａ　端末固有情報
４ｂ　電話帳データ
４ｃ　呼情報・ライン情報
４ｄ　発着信履歴
４ｅ　時間情報
５　ＩＰ電話機
６　ＩＰ電話ソフトウェアを具備するパーソナルコンピュータ
２０　アンテナ部
２１　無線部
２２　ＣＰＵ
２３　記憶部のプログラム領域
２３ａ　動作プログラム
２３ｂ　呼制御プログラム
２３ｃ　データ管理機能
２３ｄ　データ同期機能
２３ｅ　時計機能
２４　記憶部のユーザデータキャッシュ領域
２４ａ　端末固有情報
２４ｂ　電話帳データ
２４ｃ　呼情報・ライン情報
２４ｄ　発着信履歴
２４ｅ　時間情報
２５　マイク
２６　スピーカ
２７　表示部
２８　操作部
２９　電源部
３０　電池
３１　ＣＰＵ
３２　記憶装置インタフェース部
３３　記憶部のプログラム領域
３３ａ　動作プログラム
３３ｂ　呼制御プログラム
３３ｃ　データ管理機能
３３ｄ　データ同期機能
３３ｅ　時計機能
３４　ネットワークインタフェース部
１００　インタネットまたはイントラネット回線
【図１】
2004056235.tif 000002
【図２】
2004056235.tif 000003
【図３】
2004056235.tif 000004
【図４】
2004056235.tif 000005
【図５】
2004056235.tif 000006
【図６】
2004056235.tif 000007
【図７】
2004056235.tif 000008
【図８】
2004056235.tif 000009
【図９】
2004056235.tif 000010
【図１０】
2004056235.tif 000011
【図１１】
2004056235.tif 000012